(57)【要約】【課題】潤滑剤をクリーニングブレードに効率良く供給することができる画像形成装置を提供する。【解決手段】感光体ドラム２の非画像形成時にパッチ画像４０を形成し、トナー９に添加された潤滑剤１０をクリーニングブレード２７に供給するようにした画像形成装置１は、感光体ドラム２の回転方向において現像装置５とクリーニングブレード２７との間で感光体ドラム２に近接して設けられる電極３０と、電極３０と感光体ドラム２との間に交流電界を形成する交流電界形成手段３５とを備え、パッチ画像４０が電極３０に対応した位置を通過する際に、交流電界形成手段３５によって電極３０と感光体ドラム２との間に交流電界が形成されることを特徴とする。【選択図】図１
2008216944.tif 000002
【特許請求の範囲】
【請求項１】
所定の方向に回転可能に設けられる像担持体と、該像担持体を一様に帯電させる帯電手段と、前記像担持体上に静電潜像を形成する露光手段と、潤滑剤が添加されたトナーを前記像担持体に供給し、前記像担持体上の前記静電潜像を現像してトナー画像を形成する現像手段と、前記像担持体に当接して設けられ、前記像担持体上の前記トナー画像が転写手段によって転写体に転写された後に前記像担持体上に残留する前記トナーを除去するクリーニングブレードとを備え、前記像担持体の非画像形成時に、前記像担持体上にパッチ画像を形成し、前記トナーに添加された前記潤滑剤を前記クリーニングブレードに供給するようにした画像形成装置であって、
前記像担持体に近接して設けられるとともに、前記像担持体の回転方向において前記現像手段と前記クリーニングブレードとの間に設けられる電極と、前記電極と前記像担持体との間に交流電界を形成する交流電界形成手段とを備え、前記像担持体上の前記パッチ画像が前記電極に対応した位置を通過する際に、前記交流電界形成手段によって前記電極と前記像担持体との間に交流電界が形成されることを特徴とする画像形成装置。
【請求項２】
前記電極は、前記像担持体の回転軸方向の画像形成領域全体に亘って設けられ、前記パッチ画像は、前記像担持体の回転軸方向の画像形成領域全体に亘って形成される帯状の画像であることを特徴とする請求項１に記載の画像形成装置。
【請求項３】
前記像担持体上の前記トナー画像を前記転写体に転写する前記転写手段は、前記電極を兼ねていることを特徴とする請求項１に記載の画像形成装置。
【発明の詳細な説明】
【技術分野】
【０００１】
本発明は、モノクロ画像やカラー画像を形成する複写機やプリンタなどの電子写真方式の画像形成装置に関する。
【背景技術】
【０００２】
従来、複写機やプリンタなどの電子写真方式の画像形成装置では、帯電された感光体ドラム表面を露光して静電潜像を形成し、この静電潜像が形成された感光体ドラムに現像装置からトナーを供給して静電潜像を現像し、感光体ドラム上にトナー画像を形成することが行われている。そして、感光体ドラム上に形成されたトナー画像は、転写装置によって用紙に転写され、トナー画像が用紙に転写された後に感光体ドラム上に残留するトナーは、クリーニングブレードによって掻き取られて廃トナーボックスに回収される。
【０００３】
前記画像形成装置において、感光体ドラムとクリーニングブレードとの間の摩擦を低下させるために、感光体ドラムとクリーニングブレードとの間に供給するための潤滑剤がトナーに添加される場合に、低印字率の画像や画像形成領域の片側のみの画像を多数プリントすると、トナーに添加された潤滑剤が感光体ドラムとクリーニングブレードとの間で少なくなり、クリーニングブレードの異常摩耗やめくれを発生させることとなる。
【０００４】
これに対し、所定枚数毎にパッチ画像を形成し、潤滑剤が添加されたトナーをクリーニングブレードに供給することにより、クリーニングブレードの異常摩耗やめくれが発生することを抑制し、クリーニングブレードのクリーニング性能を確保することが知られている。例えば特許文献１には、クリーニングブレードの長手方向において原稿濃度レベルを積算し、この積算された原稿濃度レベルに応じたパッチ画像を形成する画像形成装置が開示されており、例えば特許文献２には、感光体ドラムの空回転時に、感光体ドラム上にパッチ画像を形成するカラー画像形成装置が開示されている。
【特許文献１】特開平５ー２２４４９７号公報
【特許文献２】特開２００４ー９３７７０号公報
【発明の開示】
【発明が解決しようとする課題】
【０００５】
しかしながら、クリーニングブレードに供給する潤滑剤をトナーに添加し、クリーニングブレードのクリーニング性能を確保するためにパッチ画像を形成する画像形成装置においては、パッチ画像を形成するためにトナーが消費されるので、トナー消費量が増加することとなる。そのため、前記画像形成装置では、現像装置に補給されるトナーを収容するトナーボトルの短寿命化、廃トナー量の増加による廃トナーボックスの短寿命化及びランニングコストの増加などが問題となっている。従って、クリーニングブレードのクリーニング性能を確保するとともにトナー消費量を低減させることが望まれている。
【０００６】
そこで、この発明は、潤滑剤をクリーニングブレードに効率良く供給することができ、クリーニングブレードの異常摩耗やめくれが発生することを抑制するとともに、パッチ画像を形成する際のトナー消費量を減少させることができる画像形成装置を提供することを目的とする。
【課題を解決するための手段】
【０００７】
このため、本発明に係る画像形成装置は、所定の方向に回転可能に設けられる像担持体と、該像担持体を一様に帯電させる帯電手段と、前記像担持体上に静電潜像を形成する露光手段と、潤滑剤が添加されたトナーを前記像担持体に供給し、前記像担持体上の前記静電潜像を現像してトナー画像を形成する現像手段と、前記像担持体に当接して設けられ、前記像担持体上の前記トナー画像が転写手段によって転写体に転写された後に前記像担持体上に残留する前記トナーを除去するクリーニングブレードとを備え、前記像担持体の非画像形成時に、前記像担持体上にパッチ画像を形成し、前記トナーに添加された前記潤滑剤を前記クリーニングブレードに供給するようにした画像形成装置であって、前記像担持体に近接して設けられるとともに、前記像担持体の回転方向において前記現像手段と前記クリーニングブレードとの間に設けられる電極と、前記電極と前記像担持体との間に交流電界を形成する交流電界形成手段とを備え、前記像担持体上の前記パッチ画像が前記電極に対応した位置を通過する際に、前記交流電界形成手段によって前記電極と前記像担持体との間に交流電界が形成されることを特徴とする。
【発明の効果】
【０００８】
本発明によれば、交流電界形成手段によって電極と像担持体との間に形成された交流電界によって、パッチ画像を形成しているトナーが振動することで、その表面に付着している潤滑剤がトナーから脱離されるので、潤滑剤をクリーニングブレードに効率良く供給することができ、クリーニングブレードの異常摩耗やめくれが発生することを抑制するとともに、パッチ画像を形成する際のトナー消費量を減少させることができる。また、トナー消費量を減少させることにより、トナーボトル及び廃トナーボックスの長寿命化やランニングコストの低減を図ることができる。
【発明を実施するための最良の形態】
【０００９】
以下、本発明の実施形態について、添付図面を参照しながら説明する。
図１は、本発明の第１の実施形態に係る画像形成装置１の概略構成図である。この図に示すように、画像形成装置１は、トナー画像を担持する像担持体として感光体ドラム２を備えており、この感光体ドラム２は、感光体ドラム２に連結された駆動モータ（不図示）によって矢印Ａの方向（図１において時計回り方向）に回転可能に設けられている。
【００１０】
また、画像形成装置１は、感光体ドラム２の周囲に、感光体ドラム２の回転方向に沿って、感光体ドラム２の表面を帯電する帯電装置（帯電手段）３、感光体ドラム２上に静電潜像を形成する露光装置（露光手段）４、感光体ドラム２に形成された静電潜像を現像してトナー画像を形成する現像装置（現像手段）５、転写ベルト１５を介して感光体ドラム２に対向して配置される一次転写ローラ（転写手段）１６、及び、感光体ドラム２の表面をクリーニングするクリーニング装置２５を備えている。
【００１１】
帯電装置３は、感光体ドラム２の外周面を所定の電位に一様に帯電するように構成されており、例えばコロナ帯電装置などが用いられる。また、感光体ドラム２の回転方向において帯電装置３の下流側に配置される露光装置４は、感光体ドラム２の外周面に選択的に光を照射して露光を行い、感光体ドラム２に静電潜像を形成するように構成されている。
【００１２】
現像装置５は、後述する図４に示すように潤滑剤１０を添加したトナー９が貯蔵されるハウジング６と、ハウジング６内で矢印Ｂの方向（図１において反時計回り方向）に回転可能に設けられる搬送ローラ７と、該搬送ローラ７に接触又は対向して配設され、矢印Ｃの方向（図１において反時計回り方向）に回転可能に設けられる現像ローラ８とを備えており、潤滑剤１０が添加されたトナー９を搬送ローラ７によって現像ローラ８に搬送し、この現像ローラ８に搬送されたトナー９を感光体ドラム２、具体的には感光体ドラム２と現像ローラ８との間に形成される現像ニップ部１１に供給し、感光体ドラム２の外周面に形成された静電潜像を現像してトナー画像を形成するようになっている。
【００１３】
一次転写ローラ１６は、転写ベルト１５を感光体ドラム２に押圧し、転写ベルト１５が感光体ドラム２に密着した状態で感光体ドラム２と一次転写ローラ１６との間を通過する際に、感光体ドラム２上に形成されたトナー画像を転写ベルト１５上に転写するように構成されている。
【００１４】
また、転写ベルト１５は、２つのローラ１７、１８の外周部に支持される無端状のベルトであり、転写ベルト１５の内部に一次転写ローラ１６が配置されるとともに、ローラ１７に連結された駆動モータ（不図示）によって矢印Ｄの方向に回転駆動されるようになっている。
【００１５】
転写ベルト１５の回転方向において一次転写ローラ１６の下流側には、転写ベルト１５を介してローラ１７に圧接する二次転写ローラ（不図示）が配設され、この二次転写ローラは、感光体ドラム２から転写ベルト１５に転写されたトナー画像を記録媒体としての用紙（不図示）に転写するように構成されている。
【００１６】
転写ベルト１５の回転方向において前記二次転写ローラの下流側には、転写ベルト１５上のトナー画像が用紙に転写された後に転写ベルト１５上に残留するトナーを除去するための転写ベルト用クリーニング装置１９が設けられている。転写ベルト用クリーニング装置１９は、転写ベルト１５上のトナー９を回収するハウジング２０と、転写ベルト１５に当接して設けられるクリーニングブレード２１とを備え、クリーニングブレード２１によって転写ベルト１５に残留するトナー９を掻き取ってハウジング２０に回収するようになっている。
【００１７】
また、感光体ドラム用クリーニング装置２５は、感光体ドラム２上のトナー画像が転写ベルト１５に転写された後に感光体ドラム２上に残留するトナーを除去するためのもので、感光体ドラム２上のトナー９を回収するハウジング２６と、感光体ドラム２に当接して設けられるクリーニングブレード２７とを備え、クリーニングブレード２７によって感光体ドラム２に残留するトナー９を掻き取ってハウジング２６に回収するようになっている。
【００１８】
前述したように、トナー９には潤滑剤１０が添加されており、この潤滑剤１０は、クリーニングブレードの摩耗を低減するためにトナー９に添加されるものであり、クリーニングブレード２１及び／又は２７に供給される。潤滑剤１０は、トナー９の表面に付着した状態でトナー９に添加されている（図４参照）。なお、潤滑剤１０としては、例えばチタン酸ストロンチウムなどが用いられる。
【００１９】
本実施形態に係る画像形成装置１はさらに、感光体ドラム２の回転方向において現像装置５と感光体ドラム用クリーニング装置２５との間に、より具体的には現像装置５と一次転写ローラ１６との間に感光体ドラム２に近接して設けられる電極３０と、該電極３０と感光体ドラム２との間に交流電界を形成する交流電界形成手段としての交流電界形成装置３５とを備えている。
【００２０】
図２は、前記画像形成装置１の感光体ドラム２及び電極３０を示す斜視図である。図２に示すように、略平板状の電極３０は、円筒状に形成される感光体ドラム２の外周面に略沿って湾曲状に形成されるとともに、感光体ドラム２の回転軸方向の画像形成領域全体に亘って感光体ドラム２に近接して設けられている。電極３０は、感光体ドラム２から所定距離、例えば１５０μｍだけ離れて感光体ドラム２に対向して設けられ、感光体ドラム２の外周面に略沿って、例えば３ｍｍの所定長さを有して形成されている。
【００２１】
また、交流電界形成装置３５は、電極３０に交流電圧を印加することができるように構成されており、電極３０に交流電圧を印加することで電極３０と感光体ドラム２との間に交流電界を形成することができるようになっている。
【００２２】
なお、画像形成装置１には、該画像形成装置１に関係する構成を制御する制御ユニット（不図示）が設けられ、この制御ユニットは、感光体ドラム２、搬送ローラ７、現像ローラ８、一次転写ローラ１６及びローラ１７などの回転駆動、並びに、帯電装置３、露光装置４、現像装置５、一次転写ローラ１６及び交流電界形成装置３５などの作動制御を行う。また、この制御ユニットは、例えばマイクロコンピュータを主要部として構成されている。
【００２３】
このようにして構成される画像形成装置１では、帯電装置３によって感光体ドラム２が一様に帯電された後に、露光装置４によって感光体ドラム２の画像形成領域に所望の静電潜像が形成され、この静電潜像が形成された感光体ドラム２に、潤滑剤１０を添加したトナー９が現像装置５から供給されて静電潜像が現像され、静電潜像に対応したトナー画像が感光体ドラム２上に形成される。そして、感光体ドラム２上に形成されたトナー画像は、一次転写ローラ１６によって転写ベルト１５に転写され、この転写ベルト１５に転写されたトナー画像が用紙に転写される一方、トナー画像が転写ベルト１５に転写された後に感光体ドラム２上に残留するトナーは、クリーニングブレード２７によって掻き取られて回収される。なお、転写ベルト１５に転写されたトナー画像が用紙に転写された後に転写ベルト１５に残留するトナーは、クリーニングブレード２１によって掻き取られて回収される。
【００２４】
また、画像形成装置１では、制御ユニットの一部をなすドットカウンタ（不図示）によって用紙毎に画像比率が検出され、この検出された画像比率と設定された所望の画像比率との差が順次積算されている。そして、この積算された画像比率差が所定の閾値以下になると、クリーニングブレード２７へ供給される潤滑剤１０が少なくクリーニングブレード２７の異常摩耗やめくれが発生し得ると判定し、感光体ドラム２上での画像形成が行われていないとき、すなわち感光体ドラム２上のトナー画像が用紙（転写体）に転写されない非画像形成時に感光体ドラム２にパッチ画像４０を形成するとともに、パッチ画像４０が電極３０に対応した位置を通過する際に、交流電界形成装置３５によって電極３０と感光体ドラム２との間に交流電界が形成される。
【００２５】
図２に示すように、感光体ドラム２の非画像形成時には、トナー９に添加される潤滑剤１０をクリーニングブレード２７に供給するために、感光体ドラム２上に潤滑剤１０が添加されたトナー９からなるパッチ画像４０（斜線ハッチングを施した領域）が形成される。パッチ画像４０として、感光体ドラム２の回転軸方向の画像形成領域全体に亘って形成されるとともに感光体ドラム２の外周面に沿って、例えば１〜１５ｍｍの所定長さを有する帯状の画像が形成される。
【００２６】
図３は、パッチ画像形成時に前記電極に印加される交流電圧の波形を示す図である。この図に示すように、パッチ画像４０が感光体ドラム２の回転に伴って電極３０と感光体ドラム２との間を通過する際には、交流電圧ＶＡＣが電極３０に印加され、電極３０と感光体ドラム２との間に交流電界が形成される。交流電圧ＶＡＣとしては、好ましくは高周波の矩形波が用いられ、例えばＶｐ−ｐ値２０００Ｖ、周波数２ｋＨｚの高周波が用いられる。
【００２７】
このように、パッチ画像形成時には、感光体ドラム２と電極３０との間に交流電界が形成されることにより、パッチ画像４０を形成している潤滑剤１０が付着したトナー９は、感光体ドラム２の回転に伴って電極３０に対向した位置を通過する際に、電極３０と感光体ドラム２との間に形成される交流電界の作用を受けて電極３０と感光体ドラム２との間で往復運動又は振動する。
【００２８】
図４は、パッチ画像形成時に前記感光体ドラムと前記電極との間で移動するトナーの動作を模式的に示す説明図である。トナー９が、例えば負極性に帯電されている場合、図４に示すように、感光体ドラム２の外周面に付着しているトナー９は、感光体ドラム２上に付着した状態（Ｐ１状態）から、交流電圧ＶＡＣのプラス側の電圧によって形成される感光体ドラム２から電極３０に向かう電界の影響を受けて感光体ドラム２から離れて電極３０側に移動して電極３０と衝突し、電極３０上に付着した状態（Ｐ２状態）となる。トナー９が電極３０と衝突する際には、トナー９に付着している潤滑剤１０の一部がトナー９から脱離して電極３０に付着される。
【００２９】
電極３０上に付着したＰ２状態にあるトナー９はまた、交流電圧ＶＡＣのマイナス側の電圧によって形成される電極３０から感光体ドラム２に向かう電界の影響を受けて電極３０から離れて感光体ドラム２側に移動して感光体ドラム２と衝突し、感光体ドラム２上に付着した状態（Ｐ３状態）となる。トナー９が感光体ドラム２と衝突する際には、トナー９に付着している潤滑剤１０の一部がトナー９から脱離して感光体ドラム２に付着される。
【００３０】
さらに、感光体ドラム２上に付着したＰ３状態にあるトナー９は、感光体ドラム２から電極３０に向かう電界の影響を受けて感光体ドラム２から離れて電極３０側に移動し、電極３０上に付着した状態（Ｐ４状態）となり、その後に、電極３０から感光体ドラム２に向かう電界の影響を受けて電極３０から離れて感光体ドラム２側に移動し、感光体ドラム２上に付着した状態（Ｐ５状態）となる。
【００３１】
感光ドラム２上に形成されたパッチ画像４０が電極３０に対応した位置を通過する際には、潤滑剤１０の付着したトナー９は、交流電界形成装置３５によって電極３０と感光体ドラム２との間に形成される交流電界の作用を受けて電極３０と感光体ドラム２との間で往復運動し、トナー９が電極３０及び感光体ドラム２と衝突する際に、トナー９に付着している潤滑剤１０は、トナー９から脱離しトナー９と分離される。また、トナー９に付着している潤滑剤１０は、トナー９が電極３０と感光体ドラム２との間を往復運動する際にトナー９同士が衝突することによってもトナー９から脱離して分離される。
【００３２】
その後、電極３０に対応した位置を通過する際に潤滑剤１０とトナー９とが分離されたパッチ画像４０が、転写電圧ＯＦＦによって転写ベルト１５に転写されることなく、感光体ドラム２の回転に伴ってクリーニング装置２５まで移動されることにより、トナー９から分離された潤滑剤１０が、クリーニングブレード２７に供給されて感光体ドラム２とクリーニングブレード２７との間に、具体的には感光体ドラム２の回転方向において感光体ドラム２とクリーニングブレード２７のエッジ部との当接部の上流側に感光体ドラム２とクリーニングブレード２７との間に保持される。
【００３３】
このように、本実施形態に係る画像形成装置１は、交流電界形成装置３５によって電極３０と感光体ドラム２との間に形成された交流電界によって、パッチ画像４０を形成しているトナー９が振動することで、その表面に付着している潤滑剤１０がトナー９から分離されるので、潤滑剤１０がトナー９表面に付着した状態でクリーニングブレード２７に供給される場合に比して、潤滑剤１０をクリーニングブレードに効率良く供給することができ、これにより、クリーニングブレード２７のエッジ部の異常摩耗やめくれが発生することを抑制するとともにパッチ画像を形成する際のトナー消費量を減少させることができる。また、トナー消費量を減少させることにより、トナーボトル及び廃トナーボックスの長寿命化やランニングコストの低減を図ることができる。
【００３４】
また、電極３０は、感光体ドラム２の回転軸方向の画像形成領域全体に亘って感光体ドラム２に近接して設けられ、パッチ画像４０は、感光体ドラム２の回転軸方向の画像形成領域全体に亘って形成される帯状の画像であるので、パッチ画像４０全体において潤滑剤１０をトナー９から脱離させることができ、潤滑剤１０をクリーニングブレード２７に効率良く供給することができる。また、潤滑剤１０をクリーニングブレード２７に効率良く供給することができるので、感光体ドラム２の回転方向におけるパッチ画像４０の長さを短くすることができ、廃トナーとなるトナー消費量を低減させることができるとともにパッチ画像形成時間を短縮することができる。
【００３５】
なお、画像形成装置１では、感光体ドラム２上に形成されたトナー画像が、転写ベルト１５を介して用紙に転写されるように構成されているが、感光体ドラム２上に形成されたトナー画像を、転写ベルト１５を介することなく用紙に直接に転写するようにしてもよい。
【００３６】
図５は、本発明の第２の実施形態に係る画像形成装置５０の概略構成図である。画像形成装置５０は、図１に示した画像形成装置１と略同様の構成を備えているが、電極３０を備えておらず、一次転写ローラ５１が、交流電界形成装置３５に接続され、前記電極と同様に機能するものである。その点以外は、画像形成装置５０は、画像形成装置１と同様の構成を備えているため、同様の構成については同一符号を付して説明は省略する。
【００３７】
画像形成装置５０では、画像形成装置１と同様に、感光体ドラム２上に形成されたトナー画像を転写ベルト１５に転写する一次転写ローラ５１は、転写ベルト１５を介して感光体ドラム２に対向して配設されているが、転写ベルト１５が感光体ドラム２から所定距離、例えば１５０μｍだけ離れて設けられ、一次転写ローラ５１は、感光体ドラム２の回転方向において現像装置５と感光体ドラム用クリーニング装置２５との間で感光体ドラム２に近接して設けられる電極を兼ねている。
【００３８】
画像形成装置５０においても、パッチ画像形成時には、感光体ドラム２上に形成されたパッチ画像４０が、転写ベルト１５を介して電極として機能する一次転写ローラ５１に対向した位置を通過する際に、交流電界形成手段５２によって一次転写ローラ５１に交流電圧ＶＡＣが印加され、これにより、一次転写ローラ５１と感光体ドラム２との間に交流電界が形成される。
【００３９】
パッチ画像４０を形成している潤滑剤１０が付着したトナー９は、前記交流電界の作用を受けて、一次転写ローラ１５と感光体ドラム２との間、具体的には転写ベルト１５と感光体ドラム２との間で往復運動又は振動する。かかる場合においても、トナー９に付着している潤滑剤１０は、トナー９が転写ベルト１５及び感光体ドラム２と衝突する際に、また、トナー９同士が衝突する際に、トナー９から脱離してトナー９と分離される。
【００４０】
一次転写ローラ５１に対応した位置を通過する際に潤滑剤１０とトナー９とが分離されたパッチ画像４０は、感光体ドラム２の回転に伴ってクリーニング装置２５まで移動され、トナー９から分離された潤滑剤１０が、クリーニングブレード２７に供給されて感光体ドラム２とクリーニングブレード２７との間に保持される。
【００４１】
このように、画像形成装置５０においても、交流電界形成装置５２によって一次転写ローラ５１と感光体ドラム２との間に形成される交流電界により、パッチ画像４０を形成しているトナー９が振動することで、その表面に付着している潤滑剤１０をトナー９から分離させることができるので、潤滑剤１０をクリーニングブレード２７に効率良く供給することができる。
【００４２】
また、画像形成装置５０では、一次転写ローラ５１が電極として機能するので、交流電界形成装置５２によって一次転写ローラ５１に印加する交流電圧の平均電圧を変化させることにより、パッチ画像４０を転写ベルト１５に転写させることができる。例えば、トナー９が負極性に帯電されている場合には、一次転写ローラ５１に印加する交流電圧の平均電圧をプラス側にシフトさせることでパッチ画像４０を転写ベルト１５に転写させることができ、トナー９が正極性に帯電されている場合には、一次転写ローラ５１に印加する交流電圧の平均電圧をマイナス側にシフトさせることでパッチ画像４０を転写ベルト１５に転写させることができる。
【００４３】
前記のように、パッチ画像形成時には、一次転写ローラ５１に交流電圧が印加され、一次転写ローラ５１と感光体ドラム２との間に交流電界が形成されるにより、潤滑剤１０の付着したトナー９は、転写ベルト１５と感光体ドラム２との間で往復運動して潤滑剤１０とトナー９とが分離されるとともに、一次転写ローラ５１に印加される交流電圧に応じて、潤滑剤１０とトナー９とが分離した状態で感光体ドラム２及び／又は転写ベルト１５上に付着される。
【００４４】
このように、本実施形態に係る画像形成装置５０によれば、一次転写ローラ５１が電極を兼ねていることにより、比較的簡単な構造によって一次転写ローラ５１と感光体ドラム２との間に交流電界を形成することができる。また、一次転写ローラ５１に印加させる交流電圧を変化させることで、感光体ドラム用クリーニング装置２５のクリーニングブレード２７だけでなく、転写ベルト用クリーニング装置１９のクリーニングブレード２１にも潤滑剤を効率良く供給することができる。
【００４５】
なお、本願発明は、例示された実施の形態に限定されるものではなく、本発明の要旨を逸脱しない範囲において、種々の改良及び設計上の変更が可能であることは言うまでもない。本実施形態では、１つの現像装置５を有する画像形成装置１について説明しているが、いかなるタンデム型のカラー画像形成装置に適用されてもよい。
【図面の簡単な説明】
【００４６】
【図１】本発明の第１の実施形態に係る画像形成装置の概略構成図である。
【図２】前記画像形成装置の感光体ドラム及び電極を示す斜視図である。
【図３】パッチ画像形成時に前記電極に印加される交流電圧の波形を示す図である。
【図４】パッチ画像形成時に前記感光体ドラムと前記電極との間で移動するトナーの動作を模式的に示す説明図である。
【図５】本発明の第２の実施形態に係る画像形成装置の概略構成図である。
【符号の説明】
【００４７】
１、５０  画像形成装置
２  感光体ドラム
３  帯電装置
４  露光装置
５  現像装置
９  トナー
１０  潤滑剤
１５  転写ベルト
１６  ５１  一次転写ローラ（転写手段）
２１、２７  クリーニングブレード
３０  電極
３５、５２  交流電界形成装置
４０  パッチ画像
ＶＡＣ  交流電圧
【図１】
2008216944.tif 000003
【図２】
2008216944.tif 000004
【図３】
2008216944.tif 000005
【図４】
2008216944.tif 000006
【図５】
2008216944.tif 000007